(57)【要約】【課題】ＨＤ  ＤＶＤ再生機能を有するアプリケーションを実行してコンテンツを再生する情報処理装置において、パーシステントストレージのコンテンツ名を一覧表示してコンテンツを管理する。【解決手段】プロバイダからダウンロードした付加的なコンテンツをハードディスクに規定されたパーシステントストレージに書き込む際等にパーシステントストレージに保持されている付加的なコンテンツのプロバイダ名とコンテンツ名とを含むコンテンツの一覧を表示して、ユーザに付加的なコンテンツ名を選択させる。選択されたコンテンツをパーシステントストレージから削除する。【選択図】      図５
2008042742.tif 000002
【特許請求の範囲】
【請求項１】
ディスクユニットにセットされている光ディスクに記録されている情報をアプリケーションプログラムにより再生する手段と、
前記ディスクユニットにセットされている前記光ディスクに関連のある付加的なコンテンツを保持可能なパーシステントストレージと、
前記パーシステントストレージに保持されている付加的なコンテンツのプロバイダ名とコンテンツ名とを含むコンテンツのリストを表示する手段と、
前記表示手段により表示されたリスト上でユーザにより選択され、前記パーシステントストレージに保持されている付加的なコンテンツを処理する手段と、
を具備する情報処理装置。
【請求項２】
前記処理手段は選択されたコンテンツを前記パーシステントストレージから削除する請求項１記載の情報処理装置。
【請求項３】
前記パーシステントストレージはハードディスク装置と不揮発性メモリの少なくとも一方である請求項１記載の情報処理装置。
【請求項４】
前記付加的なコンテンツは前記ディスクユニットにセットされた前記光ディスクが保持している主コンテンツのプロバイダがネットワークを介して提供するコンテンツである請求項１記載の情報処理装置。
【請求項５】
前記付加的なコンテンツは前記ディスクユニットにセットされた前記光ディスクが保持しているゲームコンテンツのハイスコアである請求項１記載の情報処理装置。
【請求項６】
前記表示手段はプロバイダ毎に横長のコンテンツ画像の上に付加的なコンテンツ名を重畳して表示し、コンテンツ画像の隣にコンテンツのサイズを表示し、複数のコンテンツ画像を縦方向に並べて表示する請求項１記載の情報処理装置。
【請求項７】
前記表示手段は前記パーシステントストレージへコンテンツを書き込む時に前記リストを表示する請求項１記載の情報処理装置。
【請求項８】
前記表示手段は前記パーシステントストレージの記録可能な残り容量が所定容量以下になると、前記リストを表示する請求項１記載の情報処理装置。
【請求項９】
前記表示手段は前記光ディスクに記録されている情報を読み出す時に表示されるメニュー画面でリスト表示が選択されると、前記リストを表示する請求項１記載の情報処理装置。
【請求項１０】
ディスクユニットにセットされている光ディスクに記録されている情報をアプリケーションプログラムにより再生する手段と、
前記ディスクユニットにセットされている前記光ディスクに関連のある付加的なコンテンツを保持可能なパーシステントストレージとを具備する情報処理装置の情報処理方法において、
前記パーシステントストレージに保持されている付加的なコンテンツのプロバイダ名とコンテンツ名とを含むコンテンツのリストを表示するステップと、
表示された前記リスト上でユーザにより選択され、前記パーシステントストレージに保持されている付加的なコンテンツを処理するステップと、
を具備する情報処理方法。
【請求項１１】
前記処理ステップは前記選択されたコンテンツを前記パーシステントストレージから削除するステップを含む請求項１０記載の情報処理方法。
【請求項１２】
前記付加的なコンテンツは前記ディスクユニットにセットされた前記光ディスクが保持している主コンテンツのプロバイダがネットワークを介して提供するコンテンツである請求項１０記載の情報処理方法。
【請求項１３】
前記付加的なコンテンツは前記ディスクユニットにセットされた前記光ディスクが保持しているゲームコンテンツのハイスコアである請求項１０記載の情報処理方法。
【請求項１４】
前記表示ステップはプロバイダ毎に横長のコンテンツ画像の上に付加的なコンテンツ名を重畳して表示し、コンテンツ画像の隣にコンテンツのサイズを表示し、複数のコンテンツ画像を縦方向に並べて表示する請求項１０記載の情報処理方法。
【請求項１５】
前記表示ステップは前記パーシステントストレージへコンテンツを書き込む時に前記リストを表示する請求項１０記載の情報処理方法。
【請求項１６】
前記表示ステップは前記パーシステントストレージの記録可能な残り容量が所定容量以下になると、前記リストを表示する請求項１０記載の情報処理方法。
【請求項１７】
前記表示ステップは前記光ディスクに記録されている情報を読み出す時に表示されるメニュー画面でリスト表示が選択されると、前記リストを表示する請求項１０記載の情報処理方法。
【発明の詳細な説明】
【技術分野】
【０００１】
本発明は光ディスクに記録されているコンテンツを再生する情報処理装置及び情報処理方法に関する。
【背景技術】
【０００２】
映像コンテンツあるいはオーディオコンテンツを高密度で記録可能な記録媒体として光ディスクが実用化されて久しい。
【０００３】
光ディスクは、テープ状の媒体に比較して、任意の再生位置からのコンテンツの再生が可能で、物理的な大きさに対する記録容量が大きいことから、急速に普及している。
【０００４】
近年、記録されているコンテンツ（情報）の再生に、青色または青紫色の、波長の短いレーザ光を用いることにより、ＨＤ（High Definition）規格の映像データと高品質のサラウンドオーディオデータとを一枚のディスクに保存できる超高密度光ディスク（High Definition Digital Versatile Disc，以下、ＨＤ  ＤＶＤと略称する）も既に実用化されている。
【０００５】
ＨＤ  ＤＶＤ規格の光ディスク（一部のＤＶＤ規格の光ディスクも含む）では、光ディスクに収容されているある種のコンテンツ（アドバンストコンテンツと称する）に、ネットワークを介してそのコンテンツの供給元（プロバイダ）へのアクセスを推奨するアドレスあるいはリンク先情報が含まれている。プロバイダへアクセスすると、光ディスクに収納されているコンテンツに関連する付加的なコンテンツ（例えば、ビデオソフトが製造された後に追加された映像、ビデオソフトの購入者への特典として用意されたオリジナルプログラムやビデオソフトには収容されていない別の言語の音声等）をダウンロード可能である。このため、ディスク再生装置において光ディスクを再生する場合に、任意にネットワークからダウンロードしたコンテンツを、光ディスクのコンテンツと同時に／または並列に再生することも可能である。なお、付加的なコンテンツとしては、例えば同じ供給元が供給する他のビデオソフトの案内等である新着案内と呼ばれるコンテンツも存在する。
【０００６】
ＨＤ  ＤＶＤ規格では、このようなダウンロードした付加的なコンテンツを格納するための記憶装置としてパーシステントストレージが定義されている。パーシステントストレージは固定されたパーシステントストレージ（必須）と、付加的なパーシステントストレージ（任意）との２種類がある。固定されたパーシステントストレージはフラッシュメモリ等の再生装置内部に固定された媒体である。付加的なパーシステントストレージはリムーバブルな媒体であり、例えばＵＳＢメモリや可搬形ＨＤＤ、またはメモリーカード等で実現することができる。
【０００７】
ゲーム等のコンテンツの再生においては、ゲームスコア、ハイスコア等種々な情報が生成される。光ディスクが再生装置に装着されている状態では、ゲームスコア等の情報は消去されず、有効に使用することができる。しかしながら、ディスク交換等のためにディスクが再生装置から取り外されたような場合や、装置の電源がオフにされた場合には、何らかの対処をしない限り、これまでに生成されたゲームスコア等の情報は消えてしまうことになる。このようなハイスコア等のコンテンツに関連する情報も付加的なコンテンツとしてパーシステントストレージ内に記録される。
【０００８】
ＨＤ  ＤＶＤの再生は専用機で行われる場合だけでなく、ＨＤ  ＤＶＤの再生機能を持つアプリケーションをパーソナルコンピュータにインストールして行なうことも考えられている。このようなアプリケーションは光ディスクのコンテンツにアクセスしてコンテンツメニュー等を表示し、コンテンツを選択して再生することはできるが、パーシステントストレージの付加的なコンテンツにアクセスしてコンテンツメニュー等を表示し、削除等の処理をすることが不可能であった。
【０００９】
なお、ＤＶＤではないが、蓄積情報を表示するデジタルテレビ装置は特許文献１に記載されている。このデジタルテレビ装置は、蓄積装置の大容量化及び低価格化により、大量の情報を蓄積することが可能となっている。視聴者が放送番組を視聴中に、モニタにおける番組を表示する領域とは異なる領域を使って、例えば番組が終了した後や番組と並行してテレビ番組の番組に関連した蓄積情報を番組に対応させて表示させることで、情報提供者及び視聴者の双方にとって有効な情報提供を可能とする。
【特許文献１】特開２００２−２４７４７１号公報（段落０００４、０００７、００６３）
【発明の開示】
【発明が解決しようとする課題】
【００１０】
このように従来の光ディスク再生機能を有するアプリケーションプログラムはパーシステントストレージのコンテンツを一覧表示して管理することができないという欠点がある。
【００１１】
本発明は、光ディスク再生機能を有するアプリケーションを実行してコンテンツを再生する情報処理装置において、パーシステントストレージのコンテンツ名を一覧表示してコンテンツを管理することを目的とする。
【課題を解決するための手段】
【００１２】
上記した課題を解決し目的を達成するために、本発明は以下に示す手段を用いている。
【００１３】
（１）本発明の情報処理装置は、ディスクユニットにセットされている光ディスクに記録されている情報をアプリケーションプログラムにより再生する手段と、前記ディスクユニットにセットされている前記光ディスクに関連のある付加的なコンテンツを保持可能なパーシステントストレージと、前記パーシステントストレージに保持されている付加的なコンテンツのプロバイダ名とコンテンツ名とを含むコンテンツのリストを表示する手段と、前記表示手段により表示されたリスト上でユーザにより選択され、前記パーシステントストレージに保持されている付加的なコンテンツを処理する手段とを具備するものである。
【００１４】
（２）本発明の情報処理方法は、ディスクユニットにセットされている光ディスクに記録されている情報をアプリケーションプログラムにより再生する手段と、前記ディスクユニットにセットされている前記光ディスクに関連のある付加的なコンテンツを保持可能なパーシステントストレージとを具備する情報処理装置の情報処理方法において、前記パーシステントストレージに保持されている付加的なコンテンツのプロバイダ名とコンテンツ名とを含むコンテンツのリストを表示するステップと、表示された前記リスト上でユーザにより選択され、前記パーシステントストレージに保持されている付加的なコンテンツを処理するステップとを具備するものである。
【発明の効果】
【００１５】
以上説明したように本発明によれば、パーシステントストレージのデータファイルをパーソナルコンピュータのファイルシステムが管理する一般ファイルと同様に管理するので、パーシステントストレージのコンテンツ名を一覧表示して、コンテンツを処理することができる。
【発明を実施するための最良の形態】
【００１６】
以下、図面を参照して本発明による情報処理装置及び情報処理方法の実施の形態を説明する。
【００１７】
第１の実施の形態
先ず、図１および図２を参照して、本発明の一実施形態に係る情報処理装置の構成について説明する。この情報処理装置は、例えば、ノートブック型パーソナルコンピュータ１０として実現されている。
【００１８】
図１はノートブック型パーソナルコンピュータ１０のディスプレイユニットを開いた状態における斜視図である。本コンピュータ１０は、コンピュータ本体１１と、ディスプレイユニット１２とから構成されている。ディスプレイユニット１２には、ＴＦＴ−ＬＣＤ（Thin Film Transistor Liquid Crystal Display）１７から構成される表示装置が組み込まれており、そのＬＣＤ１７の表示画面はディスプレイユニット１２のほぼ中央に位置されている。
【００１９】
ディスプレイユニット１２は、コンピュータ本体１１に対して開放位置と閉塞位置との間を回動自在に取り付けられている。コンピュータ本体１１は薄い箱形の筐体を有しており、その上面にはキーボード１３、本コンピュータ１０をパワーオン／パワーオフするためのパワーボタン１４、タッチパッド１５、およびスピーカ１９Ａ，１９Ｂなどが配置されている。コンピュータ本体１１の前面にはＨＤ  ＤＶＤ−ＲＯＭドライブ１８の開口と、本コンピュータ１０の光ディスク再生機能を制御するリモコンユニット（図示せず）との通信を実行するためのリモコンユニットインタフェース部２０が設けられている。リモコンユニットインタフェース部２０は、赤外線信号受信部などから構成されている。ＨＤ  ＤＶＤ−ＲＯＭドライブ１８はＨＤ  ＤＶＤのみならず、ＣＤ、ＤＶＤの光ディスクにも対応できる。
【００２０】
タッチパッド１５は、マウスの代わりにＬＣＤ１７の表示画面上のカーソルを移動したり、画面上の項目を選択する。
【００２１】
キーボード１３の上方には入力操作パネル２４が設けられている。入力操作パネル２４は、押されたボタンに対応するイベントを入力する入力装置であり、複数の機能をそれぞれ起動するための複数のボタンを備えている。これらボタン群には、ＨＤ  ＤＶＤ−ＲＯＭドライブ１８にセットされている光ディスクを電源オフ時にパワーボタン１４を押してコンピュータ１０を起動することなく直接再生開始するＣＤ／ＤＶＤ／ＨＤ  ＤＶＤキーも含まれている。
【００２２】
次に、図２を参照して、本コンピュータ１０のシステム構成について説明する。
【００２３】
本コンピュータ１０は、図２に示されているように、ＣＰＵ１０１、ノースブリッジ１０２、主メモリ１０３、サウスブリッジ１０４、グラフィクスプロセッシングユニット（ＧＰＵ）１０５、ビデオメモリ（ＶＲＡＭ）１０５Ａ、サウンドコントローラ１０６、ＢＩＯＳ−ＲＯＭ１０９、ＬＡＮコントローラ１１０、ハードディスクドライブ（ＨＤＤ）１１１、ＨＤ  ＤＶＤドライブ１１２、カードコントローラ１１３、無線ＬＡＮコントローラ１１４、IEEE 1394コントローラ１１５、及びエンベデッドコントローラ／キーボードコントローラＩＣ（ＥＣ／ＫＢＣ）１１６等を備えている。
【００２４】
ＣＰＵ１０１は本コンピュータ１０の動作を制御するプロセッサであり、ハードディスクドライブ（ＨＤＤ）１１１から主メモリ１０３にロードされるオペレーティングシステム、および各種アプリケーションプログラムを実行する。アプリケーションプログラムはドライブ１１２にセットされた光ディスクを再生するアプリケーションプログラムも含む。
【００２５】
また、ＣＰＵ１０１は、ＢＩＯＳ−ＲＯＭ１０９に格納されたＢＩＯＳ（Basic Input Output System）も実行する。ＢＩＯＳはハードウェア制御のためのプログラムである。
【００２６】
ＨＤＤ１１１はその記憶領域の一部にパーシステントストレージが設けられている。パーシステントストレージの容量は６４ＭＢ以上であることが要求されている。なお、パーシステントストレージはＨＤＤ１１１の一部に限定されずに、フラッシュメモリ等の再生装置内部に固定された不揮発性の記憶媒体（再生装置から取出しが不可能な媒体）、あるいはＵＳＢメモリや可搬形ＨＤＤ、またはメモリーカード等の付加的な不揮発性の記憶媒体により実現してもよい。パーシステントストレージは光ディスクに記録されている主コンテンツに付随する付加的なコンテンツを格納する。付加的なコンテンツの一例としては、主コンテンツのコンテンツプロバイダがネットワークを介して提供し、本装置によりダウンロードしたコンテンツ（例えば、ビデオソフトが製造された後に追加された映像、ビデオソフトの購入者への特典として用意されたオリジナルプログラムやビデオソフトには収容されていない別の言語の音声、新着案内等）や、ゲームコンテンツの場合のハイスコア等がある。
【００２７】
ノースブリッジ１１２はＣＰＵ１０１のローカルバスとサウスブリッジ１０４との間を接続するブリッジデバイスである。ノースブリッジ１０２には、主メモリ１０３をアクセス制御するメモリコントローラも内蔵されている。また、ノースブリッジ１０２は、ＰＣＩ  ＥＸＰＲＥＳＳ規格のシリアルバスなどを介してＧＰＵ１０５との通信を実行する機能も有している。
【００２８】
ＧＰＵ１０５は本コンピュータ１０のディスプレイモニタとして使用されるＬＣＤ１７を制御する表示コントローラである。このＧＰＵ１０５によって生成される表示信号はＬＣＤ１７に送られる。また、表示信号は、コンピュータ本体１１に設けられたインタフェース３、４をそれぞれ介して外部のＴＶ１、外部のＨＤＭＩ（High-Definition Multimedia Interface）モニタに送出することもできる。
【００２９】
サウスブリッジ１０４は、ＬＰＣ（Low Pin Count）バス上の各デバイス、およびＰＣＩ（Peripheral Component Interconnect）バス上の各デバイスを制御する。また、サウスブリッジ１０４は、ＨＤＤ１１１、ＨＤ  ＤＶＤドライブ１１２を制御するためのＩＤＥ（Integrated Drive Electronics）コントローラを内蔵している。さらに、サウスブリッジ１０４は、サウンドコントローラ１０６との通信を実行する機能も有している。
【００３０】
サウンドコントローラ１０６は音源デバイスであり、再生対象のオーディオデータをスピーカ１９Ａ，１９Ｂに出力する。
【００３１】
カードコントローラ１１３は、ＰＣカード、ＳＤ（Secure Digital）カードのようなカードを制御する。無線ＬＡＮコントローラ１１４は、たとえばIEEE 802.11規格の無線通信を実行する無線通信デバイスである。この無線通信により本コンピュータ１０はインターネットに接続される。IEEE 1394コントローラ１１５は、IEEE 1394規格のシリアルバスを介して外部機器との通信を実行する。エンベデッドコントローラ／キーボードコントローラＩＣ（ＥＣ／ＫＢＣ）１１６は、電力管理のためのエンベデッドコントローラと、キーボード（ＫＢ）１３、タッチパッド１５及び入力操作パネル２４を制御するためのキーボードコントローラとが集積された１チップマイクロコンピュータである。このエンベデッドコントローラ／キーボードコントローラＩＣ（ＥＣ／ＫＢＣ）１１６は、ユーザによるパワーボタン１４の操作に応じて本コンピュータ１０をパワーオン／パワーオフする機能を有している。さらに、エンベデッドコントローラ／キーボードコントローラＩＣ（ＥＣ／ＫＢＣ）１１６は、リモコンユニットインタフェース２０との通信を実行する機能を有している。
【００３２】
図３はパーソナルコンピュータ（ＰＣ）１０のＯＳ３０と、ＰＣ−ファイルシステム３６の関係を示す図である。
【００３３】
ＨＤ  ＤＶＤには上記パーシステントストレージのデータ以外にもコンテンツに関するメタデータや管理データが存在する。これらのパーシステントストレージのデータファイル４２やＨＤ  ＤＶＤのメタデータ／管理データ４４等のＨＤ  ＤＶＤデータファイル３８を、ＰＣ−ファイルシステム３６の中の一般のＰＣ−ファイルとして管理する。
【００３４】
ＰＣ−ファイルシステム３６は、ＰＣ−ＯＳ３０のファイル管理システム３２により管理されるので、ＨＤ  ＤＶＤデータファイル３８もファイル管理システム３２により一般のＰＣ−ファイルと同様に管理される。さらに、ＨＤ  ＤＶＤデータファイル３８はＰＣ−ＯＳ３０のその他のファシリティ群４４により一般のＰＣ−ファイルと同様にアクセス／編集の対象（リード、ライト、生成、消去等）とすることが出来る。
【００３５】
このようにＨＤ  ＤＶＤ再生機能を有するアプリケーションプログラムをパーソナルコンピュータに搭載する時、パーシステントストレージのデータファイル等のＨＤ  ＤＶＤ資源をＰＣ−ＯＳ３０から制御できるように管理することにより、ＰＣ−ＯＳ３０のユーザインタフェースとユーザファシリティ３４を利用してＨＤ−ＤＶＤ資源をＰＣ−ファイルと同様に取り扱うことができる。そのため、ＰＣ−ＯＳ３０のユーザインタフェースを利用してパーシステントストレージのデータファイルを操作することができるので、記録可能な残り容量が少なくなった時にパーシステントストレージのファイルを削除、移動等することができる。
【００３６】
図４はパーシステントストレージの物理的なディレクトリ構造の一例である。パーシステントストレージ内にはデバイスインフォメーションファイル、プロバイダインフォメーションファイル、コンテンツインフォメーションファイルの３つの種類のインフォメーションファイルがある。全てのインフォメーションファイルは同じフォーマットで記録され、info.txtというファイル名を有する。
【００３７】
デバイスインフォメーションファイルは、ルートディレクトリの下のＨＤ  ＤＶＤディレクトリの下に配置され、パーシステントストレージの説明device_explanation.jpgを記述する。上述したように、パーシステントストレージはＨＤＤ１１１の一部に限定されずに、フラッシュメモリ等の再生装置内部に固定された媒体、あるいはＵＳＢメモリや可搬形ＨＤＤ、またはメモリーカード等の付加的な媒体により実現されることもあるので、パーシステントストレージを特定するデバイスインフォメーションファイルとして、device_explanation.jpgが配置される。
【００３８】
ＨＤ  ＤＶＤディレクトリの下に１つのコモンディレクトリ、１つあるいは１つ以上のプロバイダＩＤディレクトリが配置される。コモンディレクトリの下にはprofile.txtファイルが配置される。
【００３９】
プロバイダインフォメーションファイルは、プロバイダＩＤディレクトリの下に配置され、プロバイダの説明provider_explanation.txtを記述する。
【００４０】
コンテンツインフォメーションファイルは、プロバイダＩＤディレクトリの下のコンテンツＩＤディレクトリの下に配置され、コンテンツの説明content_explanation_ja.png、content_explanation_en.pngあるいはscreenshot1.jpg、screenshot2.jpgを記述する。
【００４１】
次に、ＰＣ−ＯＳ３０によるパーシステントストレージのデータファイル４２のアクセス／編集について説明する。このアクセス／編集のために、図５に示すようなパーシステントストレージ管理メニューが設けられる。このメニューは画像表示ウィンドウ内の「設定」ボタンからタブ付きの詳細設定ダイアログを呼び出し、「その他の設定」から「メニューの表示」をクリックことにより随時表示できる。あるいは、プレイリスト中で予め決めた所定のタイミングで自動的に表示しても良い。例えば、光ディスクに収容されているあるコンテンツのプロバイダへアクセスして、プロバイダからネットワークを介して付加的なコンテンツをダウンロードする前（ダウンロードコンテンツは自動的にパーシステントストレージに保存されるように設定されているとする）、パーシステントストレージの記録可能な残り容量が所定容量以下であることが検出されると（ＰＣ−ＯＳ３０は定期的にパーシステントストレージの残り容量を監視している）、表示するようにしても良い。これは、パーシステントストレージのデータファイルの編集の主目的は残り容量が少なくなった場合にコンテンツを整理（削除、移動等）することであるからである。
【００４２】
パーシステントストレージ管理メニューはプロバイダ毎にコンテンツを表示する。コンテンツ５２は横長のコンテンツ画像（背景画像）の上にコンテンツ名（例えば、ゲーム○○のハイスコア）を重畳して表示される。コンテンツ画像の左にはチェックボックス５４が、右にはコンテンツのサイズ５６が表示される。チェックボックスにはコンテンツが選択されると、チェックマークが表示される。チェックマークはそのコンテンツが次のアクションの対象となることを示す。カーソルが現在位置しているコンテンツ５８はコンテンツ画像の周囲が太線で囲まれている。カーソルの移動、コンテンツの選択はリモコンユニットの十字キー、エンターキーにより行われるが、全選択、全解除はメニューの下方のアイコン６０、６２を選択することによって行なわれる。
【００４３】
プロバイダ６４も横長のプロバイダ画像の上にプロバイダ名を重畳して表示され、プロバイダ画像の右にはプルダウンボックス６６が表示され、プロバイダを選択できるようになっている。全プロバイダという選択肢も用意されている。プルダウンボックスの右側にはプロバイダの全コンテンツのサイズ６８が表示される。
【００４４】
メニューの下方の中央には選択した全コンテンツの数と合計のサイズを示すアイコン７０が表示される。
【００４５】
選択された（チェックボックスにチェックマークが表示されている）コンテンツはメニューの下方の「削除」アイコン７２を選択すると削除される。これにより、パーシステントストレージの空き容量を増やすことができる。
【００４６】
このメニューによりパーシステントストレージに含まれているコンテンツ情報（プロバイダ名、コンテンツ名）の確認が可能である。また、１つ及び複数のコンテンツ情報の選択、プロバイダの全てのコンテンツ情報の選択、全プロバイダのコンテンツ情報（すなわち、パーシステントストレージの全てのコンテンツ情報）の選択を行なうことができ、選択されたコンテンツの削除を行なうことができる。
【００４７】
上記メニューはコンテンツ情報の編集として削除を説明したが、これに限らず、複数のパーシステントストレージが用意されている場合は、ストレージ間でコンテンツをコピー、移動してもよい。
【００４８】
以上説明したように、第１の実施の形態によれば、ＨＤ  ＤＶＤ再生機能を有するアプリケーションプログラムをパーソナルコンピュータに搭載し、パーシステントストレージのデータファイル等のＨＤ  ＤＶＤ資源をパーソナルコンピュータのオペレーティングシステムから制御できるように管理することにより、パーソナルコンピュータのユーザインタフェースとユーザファシリティを利用してＨＤ−ＤＶＤ資源を一般のファイルと同様に取り扱うことができる。これにより、ＨＤ  ＤＶＤ再生機能を有するアプリケーションを実行してコンテンツを再生する情報処理装置において、パーシステントストレージのコンテンツ名を一覧表示してコンテンツを管理することができる。
【００４９】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００５０】
【図１】本発明の情報処理装置の一実施形態に係るパーソナルコンピュータの外観を示す斜視図。
【図２】図１のパーソナルコンピュータのシステム構成の例を示すブロック図。
【図３】ＨＤ  ＤＶＤファイルの管理方法を説明するための図。
【図４】ＨＤ  ＤＶＤファイルのディレクトリ構造を図１のパーソナルコンピュータのファイル管理方法を説明するための図。
【図５】パーシステントストレージ管理メニューの一例を示す図。
【符号の説明】
【００５１】
１０…コンピュータ、１０１…ＣＰＵ、１０３…主メモリ、１０５…表示コントローラ（ＧＰＵ）、１０５Ａ…ビデオメモリ（ＶＲＡＭ）、３２…ファイル管理システム、３８…ＨＤ  ＤＶＤデータファイル。
【図１】
2008042742.tif 000003
【図２】
2008042742.tif 000004
【図３】
2008042742.tif 000005
【図４】
2008042742.tif 000006
【図５】
2008042742.tif 000007